(57)【特許請求の範囲】
【請求項１】
内視鏡に設けられた照明光伝送のためのコネクタ部を挿入して接続するための開口と、この開口の周囲に設けられ筐体内部に配設された光源ランプからの照明光を筐体の外部側に導光する導光性部材とを有することを特徴とする内視鏡用光源装置。
【発明の詳細な説明】
【０００１】
【発明の属する技術分野】
本発明は、内視鏡に設けられた照明光伝送用ライトガイドを接続して照明光を供給する内視鏡用光源装置に関する。
【０００２】
【従来の技術】
医療用分野においては、体腔内に細長の挿入部を挿入し、体腔内臓器の観察診断、処置等が行える内視鏡が広く用いられている。また、工業用分野においても、ボイラ、タービン、エンジン、化学プラント等の内部の傷や腐食の検査を行える工業用内視鏡が広く用いられている。これらの内視鏡には、照明光を伝送するための手段としてファイババンドルからなるライトガイドが設けられており、光源装置からの照明光を内視鏡先端部に伝送して観察対象物を照明することにより、対象物を観察することができる。内視鏡先端部は対象物内に挿入され、内視鏡の手元側に設けられたライトガイド端部は光源装置に接続される。
【０００３】
【発明が解決しようとする課題】
内視鏡を用いる場所は、医療用分野では、病院の内視鏡診察室や内視鏡手術室等が一般的である。また、工業用分野では、ボイラー室、工場内等で使用されることが多い。しかしながら、内視鏡が使用されるこれらの環境は、概して暗い場合が多い。内視鏡は複数種類のものを予め用意しておき、その場で、必要なものを適宜、光源装置に対してつなぎ替えながら作業を進めることが多いが、これらつなぎ替えの場合等、内視鏡のライトガイド端部を光源装置のライトガイド挿入口から取り外す作業もしくは取り付ける作業は、作業環境が暗い場合には、どこにライトガイド端部があるのかを視認しにくくきわめて煩雑な作業であり、手間取ることが多い。
本発明はかかる事情に鑑みてなされたもので、暗い環境下にあっても、光源装置に設けられた内視鏡のライトガイド挿入口の位置を容易に確認でき、内視鏡のライトガイド端部のつなぎ替え接続作業が容易に行える内視鏡用光源装置を提供できるものである。
【０００４】
【課題を解決するための手段】
本発明の内視鏡用光源装置は、内視鏡に設けられた照明光伝送のためのコネクタ部を挿入して接続するための開口と、この開口の周囲に設けられ筐体内部に配設された光源ランプからの照明光を筐体の外部側に導光する導光性部材とを有することを特徴とするものである。
【０００５】
【発明の実施の形態】
以下、図面を参照して本発明の実施の形態を説明する。図１乃至図３は本発明の第１の実施の形態に係り、図１は内視鏡システムの全体構成図、図２は内視鏡用光源装置の正面図、図３は内視鏡用光源装置の平面断面図である。
【０００６】
図１の内視鏡システム１において、体腔内の観察診断や処置等を行う内視鏡２の手元側操作部２１から延設されているユニバーサルコード２２の先端には、光源用コネクタ２３が設けられている。内視鏡２内には、照明光伝送用のファイババンドルからなる図示しないライトガイドが設けられており、その一端は、光源用コネクタ２３の端面に臨んでいる。また、他端は、内視鏡２の体腔内への挿入部２４の先端端面に臨んでいる。光源装置３のフロントパネル３０には、光源用コネクタ２３を挿入して接続する接続口３１、および、光源装置３の電源のオンオフを行う電源スイッチ３２が設けられている。接続口３１に対しては、複数種類の内視鏡が着脱自在であり、必要な種類の内視鏡を選択して接続口３１に接続可能である。即ち、種類の異なる内視鏡の光源用コネクタは同一の形状に構成されている。
【０００７】
接続口３１の周囲には導光部材３３が設けられており、図２に示すように、光源用コネクタ２３を挿入して接続する開口の周囲に配設されている。導光部材３３は図３に示すように、光源装置３のフロントパネル３０にはめ込まれ、接着等により固定されている。導光部材３３の内側には内視鏡２の光源用コネクタ２３と接続されるコネクタ部材３４が設けられており、その先端側即ちフロントパネル３０の外装面側の正面は、導光部材３３がコネクタ部材３４をおおう構成となっている。導光部材３３はアクリル、透明ポリカーボネイト等の樹脂で構成することができる。光源装置３の内部には接続口３１に照明光を送出するための光源ランプ３５が設けられている。
【０００８】
次に、この実施の形態の作用を説明する。
光源装置３のフロントパネル３０に設けられた電源スイッチ３２をオンすると、光源ランプ３５が点灯する。ランプからの出射光は、ランプハウス内で反射されて主にコネクタ部材略中心部分に図３中３６に示す如く集中して出射される一方、図３中矢印で図示する如き乱反射光も発生する。この乱反射光の一部が導光部材３３の端面３３ａあるいは３３ｂ等から導光部材３３に入射される。入射された光は導光部材３３内を透過して、光源装置３のフロントパネル３０側に出射するので、接続口３１の周囲に配設されている導光部材３３を光らせることができる。
【０００９】
本実施の形態によれば、光源装置３の光源ランプ３５の点灯時には、常にフロントパネル３０に設けられた接続口３１の周囲に配設されている導光部材３３を光らせることができるので、作業者は、暗い作業環境下にあっても、光源装置３に設けられた内視鏡のライトガイド挿入口の位置を容易に確認でき、内視鏡のライトガイド端部がどこに接続されているのかを容易に視認することが出来るため、内視鏡のつなぎ替え接続作業を、手間取ることなく、容易に行うことが可能となる。
【００１０】
なお、導光部材３３に入射させるランプからの光は、乱反射光のみに限らず、コネクタ部材略中心部分に集中して出射する光束の一部を入射させるようにしても良い。
【００１１】
次に、第１の実施の形態の変形例を図４を参照して説明する。この変形例は、第１の実施の形態の構成に加え、光源装置内に反射板３８、３８を設けたものである。
【００１２】
図４に示す光源装置３のフロントパネル３０の内側には、光源ランプ３５からの乱反射光を導光部材３３の端面３３ａおよび３３ｂに向けて反射させるための反射板３８、３８が設けられている。反射板３８を設けたことにより、第１の実施の形態の構成に加えて、導光部材３３への入射光を増加することが出来る。従って、フロントパネル３０において接続口３１の周囲に配設されている導光部材３３をより明るく光らせることが出来るため、その位置の視認性をより向上することが可能となる。
【００１３】
次に、本発明の第２の実施の形態を図５乃至図６を参照して説明する。なお、第１の実施の形態と同一の構成要素には同一符号を付し、説明は省略する。
【００１４】
光源装置４の接続口３１の周囲には導光部材４０が設けられており、図５に示すように、光源用コネクタ２３を挿入して接続する開口の周囲に配設されている。導光部材４０は図６に示すように、光源装置４のフロントパネル３０にはめ込まれ、接着等により固定されている。導光部材４０にはＬＥＤ等の発光素子３９が一体的に組み込まれている。光源装置４のフロントパネル３０あるいは他のパネルの内面側には太陽電池等の光電変換装置４１が設けられており、この光電変換装置４１で発電された電力が発光素子３９に供給される。
【００１５】
次に、この実施の形態の作用を説明する。
光源装置４のフロントパネル３０に設けられた電源スイッチ３２をオンすると、光源ランプ３５が点灯する。ランプからの出射光は、ランプハウス内で反射されて主にコネクタ部材略中心部分に図６中３６に示す如く集中して出射される一方、図６中矢印で図示する如き乱反射光も発生する。この乱反射光の一部が導光部材４０に入射され、入射された光は導光部材４０内を透過して、光源装置４のフロントパネル３０側に出射するので、接続口３１の周囲に配設されている導光部材４０を光らせることができる。また、乱反射光は、光電変換装置４１で受光されて電力に変換され、この電力は発光素子３９に供給されて発光素子３９を発光させる。
【００１６】
本実施の形態によれば、光源装置４の光源ランプ３５の点灯時には、常にフロントパネル３０に設けられた接続口３１の周囲に配設されている導光部材４０をランプから導光された光によって光らせることが出来る上、導光部材４０を発光素子３９を併用して光らせることができるので、第１の実施の形態に比べ、内視鏡のライトガイド挿入口の位置の視認性が向上する。
【００１７】
なお、導光部材はファイバーを使用してランプからの光を導光するようにしても良い。
【００１８】
以上詳述したように本発明の実施態様によれば、以下のような構成を得ることができる。
［付記項１］
内視鏡に設けられた照明光伝送のためのコネクタ部を挿入して接続するための開口と、この開口の周囲に設けられ筐体内部に配設された光源ランプからの照明光を筐体の外部側に導光する導光性部材とを有することを特徴とする内視鏡用光源装置。
［付記項２］
前記導光性部材は半透明の樹脂から成ると共に、前記筐体のフロントパネルに一体的に設けられ、前記光源ランプからの散乱光を入射することを特徴とする付記項１に記載の内視鏡用光源装置。
［付記項３］
前記光源ランプから出射される光束を前記導光性部材に入射せしめるための反射板を設けたことを特徴とする付記項１に記載の内視鏡用光源装置。
［付記項４］
前記筐体内に光電変換装置を設けると共に、前記導光性部材に発光素子を一体的に設け、前記光源ランプからの照明光を前記光電変換装置で光電変換した電力を前記発光素子に供給することを特徴とする付記項１に記載の内視鏡用光源装置。
【００１９】
【発明の効果】
以上説明したように本発明によれば、光源装置の光源ランプの点灯時には、常にフロントパネルに設けられた接続口の周囲に配設されている導光部材を光らせることができるので、作業者は、暗い作業環境下にあっても、光源装置に設けられた内視鏡のライトガイド挿入口の位置を容易に確認でき、内視鏡のライトガイド端部がどこに接続されているのかを容易に視認することが出来るため、内視鏡のつなぎ替え接続作業を、手間取ることなく、容易に行える内視鏡用光源装置を提供できる。
【図面の簡単な説明】
【図１】本発明の第１の実施の形態の内視鏡システムの全体構成図。
【図２】本発明の第１の実施の形態の内視鏡用光源装置の正面図。
【図３】本発明の第１の実施の形態の内視鏡用光源装置の平面断面図。
【図４】本発明の第１の実施の形態の変形例の内視鏡用光源装置の平面断面図。
【図５】本発明の第２の実施の形態の内視鏡用光源装置の正面図。
【図６】本発明の第２の実施の形態の内視鏡用光源装置の平面断面図。
【符号の説明】
３，４  光源装置
３０    フロントパネル
３１    接続口
３３，４０  導光部材
３５    光源ランプ
【図１】
0003793346.tif 000002
【図２】
0003793346.tif 000003
【図３】
0003793346.tif 000004
【図４】
0003793346.tif 000005
【図５】
0003793346.tif 000006
【図６】
0003793346.tif 000007